(57)【要約】【課題】  撮影者の手を煩わせることのない簡便な操作が可能となる。【解決手段】  本体部に対して表示部が閉状態で、撮像装置の機能に関る指示を入力するための操作部材が遮蔽されている場合において、操作者による表示部上での押下位置を検出し、検出した押下位置に基づき操作部材に割り当てられている撮像装置の機能を制御する。【選択図】  図９
2006135408.tif 000002
【特許請求の範囲】
【請求項１】
本体部に対して開閉可能な表示部を有する撮像装置であって、
前記表示部の開状態において表れる本体部の遮蔽面に設けられ、前記撮像装置の機能に関る指示を入力するための操作部材と、
前記表示部の閉状態において、操作者による前記表示部上での押下位置を検出する検出手段と、
前記検出手段により検出した押下位置に基づき、前記操作部材に割り当てられている前記撮像装置の機能を制御する制御手段と、を有することを特徴とする撮像装置。
【請求項２】
前記表示部は、画像表示のためのモニタが配置された表示面と、前記表示面の裏面に位置し操作可能な機能を示した文字または絵柄が付された操作ガイド面とから構成され、前記閉状態において、前記表示面または前記操作ガイド面のいずれか一方の面が装置表面に現れるよう、前記本体部に対して回動可能であることを特徴とする請求項１に記載の撮像装置。
【請求項３】
前記閉状態において前記操作ガイド面が装置表面に現れている場合、前記検出手段は、操作ガイド面の前記文字または絵柄の上での押下を検出したことに応答して、前記操作部材に割り当てられている機能を制御することを特徴とする請求項２に記載の撮像装置。
【請求項４】
前記閉状態において前記表示面が装置表面に現れている場合、前記モニタに操作可能な機能を示した操作画面を表示するよう制御する表示制御手段をさらに有し、
前記検出手段は、前記モニタの前記操作画面での押下を検出したことに応答して、前記操作部材に割り当てられている機能を制御することを特徴とする請求項２に記載の撮像装置。
【請求項５】
前記表示制御手段は、撮影画像をテープに記録するモードに設定されている場合は、前記テープ記録に必要な機能を操作するための操作画面を表示するよう制御し、撮影画像をカードに記録するモードに設定されている場合は、前記カード記録に必要な機能を操作するための操作画面を表示するよう制御することを特徴とする請求項４に記載の撮像装置。
【請求項６】
前記操作ガイド面または前記モニタ面上での押下位置と前記遮蔽面の操作部材との対応関係を記憶したテーブルを記憶する記憶手段をさらに有し、
前記制御手段は、前記検知手段による検知時は、前記テーブルに応じた制御を行うことを特徴とする請求項２〜５のいずれかに記載の撮像装置。
【請求項７】
前記表示部が半開閉状態にある場合、前記検知手段による検知を無効とすることを特徴とする請求項２〜６のいずれかに記載の撮像装置。
【請求項８】
前記検知手段は、前記表示部に水平な二次元平面上のどの位置が押下されたかを取得することにより前記押下位置を検知する光学スキャン部であることを特徴とする請求項１〜７のいずれかに記載の撮像装置。
【請求項９】
前記光学スキャン部は、線状に配置された複数個の発光部と前記発光部に対向して複数に配置されたセンサ部による線状遮光センサを２組持ち、前記２組の線状遮光センサを直行させることにより、二次元平面上のどの位置が押下されたかを取得することを特徴とする請求項８に記載の撮像装置。
【請求項１０】
本体部に対して開閉可能な表示部と、前記表示部の開状態において表れる本体部の遮蔽面に設けられ、前記撮像装置の機能に関る指示を入力するための操作部材とを有する撮像装置の制御方法であって、
前記表示部の閉状態において、操作者による前記表示部上での押下位置を検出する検出工程と、
前記検出工程において検出した押下位置に基づき、前記操作部材に割り当てられている前記撮像装置の機能を制御する制御工程と、を有することを特徴とする撮像装置の制御方法。
【発明の詳細な説明】
【技術分野】
【０００１】
本発明は、本体部に対して開閉可能な表示部を有する撮像装置及び撮像装置の制御方法に関する。
【背景技術】
【０００２】
近年、デジタルカメラ・デジタルビデオカメラ等の撮像装置に撮影者が撮影画像をその場で確認できるようにする為に表示部が組み込まれたものが普及している。これらの表示部は、ヒンジにより撮像装置筐体に接続され、表示面の開閉や回転が可能である機構を備え、撮影者の要求に応じて開いた状態にして撮影画像の確認をしながら撮影したり、閉じた状態にして表示面の保護や低消費電力を図ったり、表示面を１８０°回転させて閉じた形態においても表示面を露出させ、撮影画像の確認を実施することが可能であるものが主流となってきている。
【０００３】
また、撮像装置筐体の小型化が進展しており、撮像装置が備える各種機能を有効・無効設定するための操作ボタン等を配置するスペースの確保が困難となっており、前述の表示部を開いたときに現れる遮蔽面に操作ボタンを配置した筐体を採用したり、表示部として静電式タッチパネルを採用した撮像装置が存在している。
【０００４】
さらに、テープ撮影・カード撮影といった複数の撮影モードを持ち、撮影時の状況や撮影者の要求に応じて切り替えを行い、テープを記録メディアとして高画質な動画を長時間撮影したり、メモリカードを記録メディアとして高画質な静止画を撮影するといった構成を持つ撮像装置が主流となってきている。
これらの撮像装置について、以下説明する。
【０００５】
図１０は従来の撮像装置の構成を示す外観図である。図１０において、１００１はレンズ、絞り、ＣＣＤ等によって構成される撮影部であり、１００２は表示部と撮像装置筐体を接続するヒンジである。１００３は液晶パネル等で構成される表示部であり、１００４はビューファインダー、１００５は撮影モードを切り替える為のモードダイアルである。１００６は表示部を開いたときに現れる遮蔽面に配置された操作ボタンである。
【０００６】
図１１は従来の撮像装置の表示部とヒンジの動きを示した図である。ヒンジ１００２は表示部１００３が扉状に開閉する動作と、表示部１００３が撮像装置筐体に対して直交する軸上で回転する動作とが可能であるように構成されている。この構成により、表示部１００３を開くことによって撮影部１００１を被写体に向けた状態で撮影画像を確認することが可能となる。また、表示部１００３を１８０°回転させた状態で再び閉じることにより、自然な保持姿勢で撮影画像の確認を実施することが可能となる。表示部１００３を開くと現れる遮蔽面には各種撮影機能を有効／無効に設定する為の操作ボタン１００６が配置されている。撮影者は所望の機能を操作する為に、表示部を開いた状態にして操作ボタン１００６から所望の機能に対応したボタンを選択し、これを押下することにより機能の有効・無効を設定していた。
【０００７】
図１２は従来の撮像装置の処理ブロック図である。図１２において、１２０１はレンズ、１２０２は絞り、１２０３は撮像素子であるＣＣＤ、１２０４はサンプル／ホールド回路（Ｓ／Ｈ回路）、１２０５はプリプロセス回路、１２０６は信号処理部、１２０７はメモリ、１２０８は撮影画像の記録部、１２０９はモードダイアルや静電式タッチパネル等のモード設定部、１２１０は表示部であり、１２１１は操作系制御マイコン、１２１２は操作ボタンである。
【０００８】
レンズ１２０１より受光した被写体からの光は、絞り１２０２により光量を調節されてＣＣＤ１２０３面上に結像され、ＣＣＤ１２０３により光電変換されて画像信号として蓄積される。ＣＣＤ１２０３から出力された画像信号は、サンプルホールド回路１２０４でサンプルホールド処理された後、プリプロセス回路１２０５に供給されてＡＧＣ処理、ブラックバランス処理、ホワイトバランス処理、ガンマ補正処理等が行われ、信号処理部１２０６に供給される。
【０００９】
モード設定部１２０９は、モードダイアルや静電式タッチパネル等から選択された撮影モードを取得し、操作系制御マイコン１２１１に伝達する。操作系制御マイコン１２１１は、取得した撮影モードに応じた記録メディア、画像サイズ、動画生成／静止画生成の切り替え指示等、信号処理パラメータを信号処理部１２０６に対して伝達する。
【００１０】
また、操作系制御マイコン１２１１は操作ボタン１２１２から撮影者が所望の撮影機能に対して行った設定を取得し、取得した設定に応じて信号処理パラメータを変更し、信号処理部１２０６に対して伝達する。
【００１１】
信号処理部１２０６では、画像信号に対して前述の信号処理パラメータに応じた加工・補正等が実施されて記録用画像信号が生成され、さらに記録用画像信号に撮像装置の内部状態や撮影時間等の情報を重畳した表示用画像信号を生成される。その間必要に応じて画像信号をメモリ１２０７に保持する。
【００１２】
記録部１２０８は、信号処理部１２０６から出力された記録用画像信号を取得し、記録媒体に保存する。表示部１２１０は、信号処理部１２０６から出力された表示用画像信号を取得し、表示する。以上のようにして、撮像装置に表示部を開閉・回転な構成で接続し、かつ撮影者が所望の撮影機能を操作する為の操作系を構成していた。
【特許文献１】特開２００２−３１４９１６号公報
【発明の開示】
【発明が解決しようとする課題】
【００１３】
しかしながら、これらの撮像装置では表示部１００３を閉じた状態にした場合にその遮蔽面に配置された操作ボタン１００６を操作することができず、撮影者が所望の機能を有効・無効に設定する度に表示部を開状態にすることが必要となり、煩雑な作業の手間が必要であるという問題があった。
【００１４】
また、カード撮影・テープ撮影といった撮影モードを切り替える度に、撮影者が所望の撮影結果を取得する為に必要な撮影機能を有効にする必要があり、操作ボタンを再び操作しなければならない為、撮影者にストレスを与えるといった問題があった。
【００１５】
本発明の目的は、これらの問題点に対して、撮影者の手を煩わせることのない簡便な操作系を備えた撮像装置及び撮像装置の制御方法を提供することを目的とする。
【課題を解決するための手段】
【００１６】
上記目的を達成するために、本発明の撮像装置は、本体部に対して開閉可能な表示部を有する撮像装置であって、前記表示部の開状態において表れる本体部の遮蔽面に設けられ、前記撮像装置の機能に関る指示を入力するための操作部材と、前記表示部の閉状態において、操作者による前記表示部上での押下位置を検出する検出手段と、前記検出手段により検出した押下位置に基づき、前記操作部材に割り当てられている前記撮像装置の機能を制御する制御手段と、を有することを特徴とする。
【００１７】
また、本発明の撮像装置の制御方法は、本体部に対して開閉可能な表示部と、前記表示部の開状態において表れる本体部の遮蔽面に設けられ、前記撮像装置の機能に関る指示を入力するための操作部材とを有する撮像装置の制御方法であって、前記表示部の閉状態において、操作者による前記表示部上での押下位置を検出する検出工程と、前記検出工程において検出した押下位置に基づき、前記操作部材に割り当てられている前記撮像装置の機能を制御する制御工程と、を有することを特徴とする。
【発明の効果】
【００１８】
本発明によれば、撮影者の手を煩わせることのない簡便な操作が可能となる。
【発明を実施するための最良の形態】
【００１９】
以下、この発明の一実施形態について図面を参照して説明する。
【００２０】
図１に、この実施形態の概略的構成を示す。図中、図１に示す従来の撮像装置の構成と同一の部分には同一の参照符号を付してその説明を省略する。
【００２１】
図１において、１０１は線状遮光センサによる受光ユニットであり、１０２は赤外線やレーザー光等の発光ユニットである。１０３は表示部の表示面の裏面に配置された操作ガイドパネルである。
【００２２】
図２は本実施形態において表示部を開いた状態を示す図である。図中、図１に示す本実施形態の撮像装置の構成と同一の部分には同一の参照符号を付してその説明を省略する。２０１は表示部を開いた時に現れる遮蔽面に設置された操作ガイドパネルである。
【００２３】
図３は本発明において表示部を回転させて閉じた状態を示す図である。図中、図１に示す本実施形態の撮像装置の構成と同一の部分には同一の参照符号を付してその説明を省略する。
【００２４】
図４は本実施形態における処理ブロック図である。図中、従来の撮像装置を示した図１２及び図１に示す本実施形態の撮像装置の構成と同一部分には同一の参照符号を付してその説明を省略する。
【００２５】
受光ユニット１０１と発光ユニット１０２は、表示部１００３を囲むように配置されており、２つの発光ユニット１０２は直交して発光部４０１を構成し、２つの受光ユニット１０１は直交して受光部４０２を構成している。発光部４０１と受光部４０２はそれぞれが対向するように配置され、表示部１００３が閉じられた状態であっても発光、受光が阻害されないように、撮像装置筐体から表示部１００３の厚み以上離れた位置に設置され、光学スキャン部４０３を構成している。操作ガイドパネル１０３及び２０１は、表示部１００３の表示面の裏面及び表示部を開いた時に現れる遮蔽面にそれぞれ配置され、撮影者に操作可能な機能を示した文字もしくは絵柄が明示されている。表示部状態検知センサ４０４は図１におけるヒンジ１００２に内蔵され、表示部１００３の開閉状態、位置情報、回転状態などを検出する。
【００２６】
表示部１００３が閉じた状態で、撮影者が表示面の裏面に配置された操作ガイドパネル１０３の所望の機能を表示した部分に触れると、発光部４０１から照射された赤外線あるいはレーザー光が受光部４０２で受光されることが阻害され、受光されなかった受光ユニット１０１の位置から２次元アドレスデータとして光学スキャン部４０３で取得される。
【００２７】
図５は発光部及び受光部と操作ガイドパネル上の絵柄や文字との位置関係を示した図である。遮光された受光ユニット１０２の位置から、Ｘ１、Ｘ２で表される縦位置情報と、Ｙ１、Ｙ２、Ｙ３、Ｙ４で表される横位置情報とが取得でき、光学スキャン部４０３はこれを操作系制御マイコン１２１１に伝達する。
【００２８】
操作系制御マイコン１２１１は、表示部状態検知センサ４０４の検出結果を取得し、表示面の裏面に配置された操作ガイドパネル１０３に記述された文字もしくは絵柄の２次元位置情報に対応した操作機能決定ルックアップテーブル（以下ＬＵＴ）を光学スキャン部４０３から取得した２次元アドレスデータをキーとして参照するように設定し、この参照結果から有効あるいは無効にする機能を決定し、信号処理部１２０６に伝達する信号処理パラメータに必要な情報を付加する。
【００２９】
図６は操作機能決定ＬＵＴと２次元アドレスデータとの関係を示す図である。２次元アドレスデータにより一意に操作する機能が特定され、現在の撮影機能の設定を変更したり、あるいは撮影者の設定を促す警告音や表示を行うことができる。
【００３０】
図２のように表示部１００３が開かれた状態の場合には、操作系制御マイコン１２１１は表示部状態検知センサ４０４の検出結果を取得し、表示部を開いた時に現れる遮蔽面に設置された操作ガイドパネル２０１に明示された文字もしくは絵柄の２次元位置情報に対応した操作機能決定ＬＵＴに参照先を変更し、表示部１００３が閉じている場合と同様に光学スキャン部４０３から２次元アドレスデータを取得し、信号処理パラメータを変更する。
【００３１】
図３のように表示部１００３を１８０°回転させ、表示面を露出した状態で再び閉じた形態となっている場合には、表示部状態検知センサ４０４は表示部１００３が回転していることを検出し、操作系制御マイコン１２１１はこの検出結果を取得して、表示面に操作ガイドパネル１０３及び２０１と同様の文字や絵柄を重畳した表示用画像信号を生成するよう信号処理パラメータに変更を行い、信号処理部１２０６はこれを取得して該表示用画像信号を生成し表示部１００３に出力する。
【００３２】
撮影者は表示面に表示された文字や絵柄に触れることで表示部１００３が閉じている場合と同様に操作を行うことができる。操作系制御マイコン１２１１は、表示面１００３に表示された文字もしくは絵柄の２次元位置情報に対応した操作機能決定ＬＵＴに参照先を変更し、表示部１００３が閉じている場合と同様に光学スキャン部４０３から２次元アドレスデータを取得し、信号処理パラメータを変更する。
【００３３】
このとき、操作系制御マイコン１２１１は、モード設定部１２０９から伝達される撮影モード情報に連動して、信号処理部１２０６において表示用画像信号にそれぞれの撮影モード向けにカスタマイズした文字や絵柄を重畳するように信号処理パラメータを変更し、表示面に表示される文字や絵柄をそれぞれの撮影モードに最適なものに更新する。これにより、撮影者がより簡便に所望の機能を操作することができるように構成することができる。
【００３４】
図７はテープ撮影モードにおいて表示面に表示される文字や絵柄の例である。
【００３５】
図８はカード撮影モードにおいて表示面に表示される文字や絵柄の例である。
【００３６】
さらに、表示部状態検知センサ４０４が表示部１００３の半開き状態を検知し、操作系制御マイコン１２１１がこの状態を取得した場合には、光学スキャン部４０３の取得データを無効とし、表示部１００３の開閉中や回転中に撮影者の予期せぬ機能が設定変更されることを防止できる。
【００３７】
以下、本発明に係る撮像装置において各種機能を操作する際の一連の手順を図９に示すフローチャートを用いて説明する。
【００３８】
Ｓ１０１において、表示部状態検知センサ４０４は表示部１００３が現在どのような開閉状態かを取得し、これを操作系制御マイコン１２１１に伝達する。操作系制御マイコン１２１１は取得した表示部１００３の開閉状態を判定する。
【００３９】
表示部１００３が半開き状態の場合は光学スキャン部４０３で取得される２次元アドレスデータを無効とするように設定し（Ｓ１０２）、処理を完了する。
【００４０】
表示部１０３が開いている場合は、表示部を開いた時に現れる遮蔽面に設置された操作ガイドパネル５０１に記述された文字もしくは絵柄の２次元位置情報に対応した操作機能決定ＬＵＴに参照先を変更するよう後段の処理に伝達する（Ｓ１０３）。
【００４１】
表示部１０３が閉じている場合には、Ｓ１０４へと処理を移行する。Ｓ１０４において、表示部状態検知センサ４０４は現在の表示部１００３の回転状態を取得し、これを操作系制御マイコン１２１１に伝達する。操作系制御マイコン１２１１は取得した表示部１００３の回転状態を判定し、表示部１００３が回転していない場合は、表示部１００３の表示面の裏面に設置された操作ガイドパネル１０３に記述された文字もしくは絵柄の２次元位置情報に対応した操作機能決定ＬＵＴに参照先を変更するよう後段の処理に伝達する（Ｓ１０５）。
【００４２】
表示部１００３が回転して表示面が露出する状態となっている場合は、Ｓ１０６へと処理を移行する。
【００４３】
Ｓ１０６において、操作系制御マイコン１２１１はモード設定部１２０９から現在の撮影モードを取得し、判断する。
【００４４】
Ｓ１０６において、撮影モードがテープ撮影モードの場合は、表示面に図７のような操作ガイドとなる文字や絵柄を表示する画像データを表示用画像信号に重畳するように信号処理パラメータを変更し（Ｓ１０７）、信号処理部１２０６に伝達する。そして伝達情報に応じて操作ガイドパネル１０３及び２０１もしくは操作ガイド表示に表示された文字もしくは絵柄の２次元位置情報に対応した操作機能決定ＬＵＴに参照先を変更する（Ｓ１０８）。
【００４５】
一方、撮影モードがカード撮影モードの場合は、表示面に図８のような文字や絵柄を表示する画像データを表示用画像信号に重畳するように信号処理パラメータを変更し、信号処理部１２０６に伝達する。信号処理部１２０６が信号処理パラメータを取得して表示用画像信号を変更し（Ｓ１０９）、伝達情報に応じて操作ガイドパネル１０３及び２０１もしくは操作ガイド表示に表示された文字もしくは絵柄の２次元位置情報に対応した操作機能決定ＬＵＴに参照先を変更する（Ｓ１１０）。
【００４６】
上記Ｓ１０３、Ｓ１０５、Ｓ１０８、Ｓ１１０のいずれかの処理を行った後は、Ｓ１１１において、操作系制御マイコン１２１１は光学スキャン部１０３から撮影者が触れて遮光された受光センサの位置に対応した２次元アドレスデータを取得し、Ｓ１１２へ処理を移行する。
【００４７】
Ｓ１１２において、操作系制御マイコン１２１１は取得した２次元アドレスデータをキーとして操作機能決定ＬＵＴを参照し、操作すべき機能と操作の内容を特定し、Ｓ１１３へと制御を移行する。Ｓ１１３において、決定された機能に対する操作を実行し、処理を完了する。
【００４８】
以上詳述したように本実施形態によれば、表示部の開閉状態・回転状態によらず常に撮影者が所望の機能の有効・無効等を操作することができ、煩雑な手順を行うことがない簡便な操作系を搭載した撮像装置を構成することができる。
【００４９】
また、表示部が回転し、表示面が露出する状態で閉じられた場合は自動的に表示面に操作ガイドパネルと同様の文字や絵柄を表示し、表示部が回転していることを意識することがない一貫した操作感を撮影者に提供する操作系を搭載した撮像装置を構成することができる。
【００５０】
さらに、撮影モードに応じて前記表示面に表示された文字や絵柄の内容を変更し、撮影モードに最適化した文字や絵柄を表示させることにより、撮影者が操作に戸惑う場面を低減した操作系を搭載した撮像装置を構成することができる。
【００５１】
（他の実施形態）
上記実施形態では、ビデオカメラの構成を備える撮像装置を用いて説明したが、本発明はこれに限るものではなく、本発明は、デジタルカメラやカメラ付き携帯電話等、開閉式構造を備える撮像装置であれば、適用可能なものであることはいうまでもない。
【図面の簡単な説明】
【００５２】
【図１】本実施形態の概略的構成例である。
【図２】本実施形態において表示部を開いた状態を示す図である。
【図３】本実施形態において表示部を回転させて閉じた状態を示す図である。
【図４】本実施形態における処理ブロック図である。
【図５】発光部及び受光部と操作ガイドパネル上の絵柄や文字との位置関係を示した図である。
【図６】操作機能決定ＬＵＴと２次元アドレスデータとの関係を示す図である。
【図７】テープ撮影モードにおいて表示面に表示される文字や絵柄の例である。
【図８】カード撮影モードにおいて表示面に表示される文字や絵柄の例である。
【図９】本実施形態における処理フローチャートである。
【図１０】従来の撮像装置の構成を示す外観図である。
【図１１】従来の撮像装置の表示部とヒンジの動きを示した図である。
【図１２】従来の撮像装置の処理ブロック図である。
【符号の説明】
【００５３】
１０１  受光ユニット
１０２  発光ユニット
１０３  表示面の裏面に配置された操作ガイドパネル
２０１  表示部を開いた時に現れる遮蔽面に設置された操作ガイドパネル
４０１  発光部
４０２  受光部
４０３  光学スキャン部
４０４  表示部状態検知センサ
１００１  撮影部
１００２  ヒンジ
１００３  表示部
１００４  ビューファインダー
１００５  モードダイアル
１００６  操作ガイドパネル
１２０１  レンズ
１２０２  絞り
１２０３  ＣＣＤ（撮像素子）
１２０４  サンプルホールド回路
１２０５  プリプロセス回路
１２０６  信号処理部
１２０７  メモリ
１２０８  記録部
１２０９  モード設定部
１２１０  表示部
１２１１  操作系制御マイコン
１２１２  操作ボタン
【図１】
2006135408.tif 000003
【図２】
2006135408.tif 000004
【図３】
2006135408.tif 000005
【図４】
2006135408.tif 000006
【図５】
2006135408.tif 000007
【図６】
2006135408.tif 000008
【図７】
2006135408.tif 000009
【図８】
2006135408.tif 000010
【図９】
2006135408.tif 000011
【図１０】
2006135408.tif 000012
【図１１】
2006135408.tif 000013
【図１２】
2006135408.tif 000014